(57)【要約】【課題】炊飯器の蓋内部に収納された基板の防水構造の低コスト化を図るとともに、手入れ時又はリサイクル処理時の分解を可能とすることである。【解決手段】基板１０を収納した基板カバー部７の周縁部と、これを押し当てる蓋パネル６との間にシール部材を介在し、蓋内部に浸入した水から上記基板１０を保護する調理器の防水構造において、上記シール部材として柔軟な有端チューブ２２の両端部を突き合せて環状に形成し、これを基板カバー部７の周縁部に設けたシール溝１９に収納した構成を採用した。【選択図】　図４
2004041569.tif 000002
【特許請求の範囲】
【請求項１】
基板を収納した基板カバー部の周縁部とその周縁部を押し当てる相手部材との間にシール部材を介在し、調理器内部に浸入した水から上記基板を保護する調理器の防水構造において、上記シール部材として柔軟な有端チューブを用い、上記周縁部の相手部材に対する押し当て面に環状のシール溝を設け、上記チューブをその両端部を突き合せて環状に形成し上記シール溝に収納したことを特徴とする調理器の防水構造。
【請求項２】
上記の基板が液晶表示部を有し、また、上記基板カバー部を押し当てる相手部材が調理器の表示パネルであることを特徴とする請求項１に記載の調理器の防水構造。
【請求項３】
上記チューブの両端部を突き合せ接合したことを特徴とする請求項１又は２に記載の調理器の防水構造。
【請求項４】
上記基板カバー部にケーブル、リード線等の通電線の挿通穴を設け、その挿通穴にシール材ポリマーを充填してシールしたことを特徴とする請求項１から３のいずれかに記載の調理器の防水構造。
【請求項５】
上記挿通穴を上記基板カバー部の底面に設け、該挿通穴より外方の基板カバー部外側に通電線押さえ部を設け、該通電線押さえ部を該挿通穴下方に折り返し可能に形成するとともに、該通電線押さえ部に開放部を設け、折り返した上記通電線押さえ部を係合する係合部を該基板カバー部に設け、上記挿通穴から基板カバー部の下方に引き出した通電線を該通電線押さえ部の開放部に挿通して外方に引き出し、外方に引き出した通電線を該通電線押さえ部を内側に折り返して保持するようにしたことを特徴とする請求項４に記載の調理器の防水構造。
【請求項６】
調理器の内部に基板を収納した基板カバー部を設け、該基板カバー部の周壁とその周壁を押し当てる相手部材との間をシールしてなる調理器の防水構造において、上記基板カバー部の周壁を上記蓋のヒンジ軸に平行な一辺を有する四角形に形成するとともに、その周壁上に嵌合される防水カバーを設け、その防水カバーに上記周壁に対応したつば辺を設け、上記相手部材にそのつば辺のうちヒンジ軸に近い方のつば辺を除く三辺のつば辺を該周壁との間で挟持するリブを設け、該ヒンジ軸に近い方のつば辺とこれに対応した周壁との間に通電線通過用のすき間を設けたことを特徴とする調理器の防水構造。
【請求項７】
上記リブと周壁により挟着される三辺のつば辺からそれぞれ下方に延びるスカート部を設け、該スカート部を上記周壁の内面に密着させたことを特徴とする請求項６に記載の調理器の防水構造。
【発明の詳細な説明】
【０００１】
【発明の属する技術分野】
この発明は、炊飯器（炊飯ジャーを含む。）、ホットプレート等の調理器に関し、特にこれらの各種制御、表示等に使用される各種基板の防水構造に関するものである。
【０００２】
【従来の技術】
上記のような調理器においては、使用者が手入れをする際等において、内部に浸入した水が基板に触れると、該基板の腐食・故障の原因となるため、従来から、調理器内部に基板を収納した基板カバー部を設け、その基板カバー部の周縁部と、その周縁部を押し当てる相手部材との間にシール部材を介在し、調理器内部に浸入した水から上記基板を保護する防水構造が採られている（例えば、特開２０００−４１８３７号公報、特開２０００−２３７０４３号公報参照）。
【０００３】
上記のシール部材としては、これを挟着する基板カバー部の周縁部上端面に合致する無端状のゴム製パッキンにより形成されていた。
【０００４】
【発明が解決しようとする課題】
しかしながら、上記の防水構造によると、ゴム製パッキンを成形する特別の金型が必要となるため、製品のコストアップの原因になる問題があった。成形品のゴム製パッキンの代わりに、低コストのシール手段として、シール材ポリマー（シーラント）を充填することが行われるが、シーラントにより基板カバー部と相手部材が接合されるため、手入れ時又はリサイクル処理時の分解が不可能になる問題があった。
【０００５】
そこで、この発明は、調理器において、分解可能、かつ低コストで実現できる各種基板のシール構造を提供することを課題とする。
【０００６】
【課題を解決するための手段】
上記の課題を解決するために、この発明は、基板を収納した基板カバー部の周縁部とその周縁部を押し当てる相手部材との間にシール部材を介在し、調理器内部に浸入した水から上記基板を保護する調理器の防水構造において、上記シール部材として柔軟な有端チューブを用い、上記周縁部の相手部材に対する押し当て面に環状のシール溝を設け、上記チューブをその両端部を突き合せて環状に形成し上記シール溝に収納した構成を採用した。
【０００７】
上記の構成によると、シール部材としてのチューブは、その外周面がシール溝上から部分的に露出するように装着され、その露出した部分を相手部材に押し当てることにより、該チューブが弾性変形してシール作用が行われる。このチューブは、市販品の長尺な樹脂製チューブを適当な長さに切断して使用することができるので、低コストである。また、基板カバー部と相手部材とが接着されることはないので、分解可能である。
【０００８】
なお、上記の基板が液晶表示部を有し、また、上記基板カバー部を押し当てる相手部材が調理器の表示パネルである構成を採ることができる。
【０００９】
さらに、上記チューブの両端部を突き合せ接合した構成を採ると、チューブの突き合せ部分におけるシールを確実に行うことができる。接合手段は、接着剤によるもの、熱溶着によるもの等がある。
【００１０】
また、上記基板カバー部にケーブル、リード線等の通電線の挿通穴を設け、その挿通穴にシール材ポリマーを充填してシールした構成を採ることができる。
【００１１】
さらに、上記挿通穴を上記基板カバー部の底面に設け、該挿通穴より外方の基板カバー部外側に通電線押さえ部を設け、該通電線押さえ部を該挿通穴下方に折り返し可能に形成するとともに、該通電線押さえ部に開放部を設け、折り返した上記通電線押さえ部を係合する係合部を該基板カバー部に設け、上記挿通穴から基板カバー部の下方に引き出した通電線を該通電線押さえ部の開放部に挿通して外方に引き出し、外方に引き出した通電線を該通電線押さえ部を内側に折り返して保持するようにした構成を採ることができる。
【００１２】
このような通電線押さえ部を設けると、基板カバー部の底面から下方に引き出した通電線を、該通電線押さえ部により基板カバー部の底面に押し当てて保持することにより、通電線に作用する荷重を支持し、基板に当該荷重が及ぶことを防止することができる。
【００１３】
また、前述の課題を達成するその他の手段として、調理器の内部に基板を収納した基板カバー部を設け、該基板カバー部の周壁とその周壁を押し当てる相手部材との間をシールしてなる調理器の防水構造において、上記基板カバー部の周壁を上記蓋のヒンジ軸に平行な一辺を有する四角形に形成するとともに、その周壁上に嵌合される防水カバーを設け、その防水カバーに上記周壁に対応したつば辺を設け、上記相手部材にそのつば辺のうちヒンジ軸に近い方のつば辺を除く三辺のつば辺を該周壁との間で挟持するリブを設け、該ヒンジ軸に近い方のつば辺とこれに対応した周壁との間に通電線通過用のすき間を設けた構成を採用することができる。
【００１４】
この構成は、炊飯器の蓋のように、ヒンジ軸を中心に回転させて開閉する構造の調理器に適用される簡易なシール構造であり、中継基板等のシール構造に用いられる。この場合は、パッキンを用いることなく、防水カバーのつば辺を周壁と相手部材のリブとの間で挟着する構造の簡易的なシール構造が採られる。また、通電線の通過すき間をヒンジ軸に近い方に設けることにより、そのすき間から蓋開放時に下降する水が浸入しないようにし、すき間部分のシール手段を省略している。
【００１５】
なお、上記リブと周壁により挟着される三辺のつば辺からそれぞれ下方に延びるスカート部を設け、該スカート部を上記周壁の内面に密着させた構成を採用すると、簡易シール構造のシール性が一層向上する。
【００１６】
【発明の実施形態】
以下、添付図面に基づいてこの発明の実施形態を説明する。図１に示した炊飯ジャーは、器具外郭としてのジャー本体１と、これに対しヒンジ軸２（図２参照）により開閉自在に取付けられた蓋３を有する。ジャー本体１の前端部に蓋３の前縁と同じ高さに立ち上がった操作部４が設けられる。
【００１７】
蓋３は、図２、図３に示すように、蓋部材５、蓋パネル６、基板カバー７、蓋リング８、蒸気穴セット９等を主要な構成部材としている。
【００１８】
上記の基板カバー７は浅い皿形をなし（図４参照）、その内部に表示用の基板１０が取付けられ、さらに、その基板１０上に液晶ホルダー１１を介して液晶１２が搭載される。また、その液晶１２に対応した表示窓１３が蓋パネル６に設けられる。さらに、液晶ホルダー１１の両側に、所要数のスイッチ２１が設けられ（図１０参照）、そのスイッチ２１に対応した設定キー１４が蓋パネル６に設けられる（図３参照）。蓋パネル６は、蓋部材５の開放部１５の内側から嵌合され、基板１０を搭載した基板カバー７が蓋パネル６下面の所定位置に押し当てられる。そして、共通のビス１６を基板ホルダー７の取付け足１７、蓋パネル６の取付け足１８に挿通し、蓋部材５内面のボス部２０に締結固定される（図５参照）。
【００１９】
上記の基板カバー７の詳細は、図７から図１０に示すように、平面形状が概略「Ｄ」字形をなし（図７（ａ）参照）、その外周縁に全周に渡るシール溝１９が設けられ、さらにそのシール溝１９の外側に前述した所要数の取付け足１７が設けられる。このシール溝１９に装着されるシール部材は、柔軟な合成樹脂（例えば、シリコーン樹脂）からなるチューブ２２により形成される。このチューブ２２は、シール溝１９の長さに相当する寸法に切断された有端状のものであり、その両端部２３（図７（ｃ）参照）相互を突き合せ、接着、溶着等により接合一体化されるか、又は単に付き合わされた状態でシール溝１９に装着される。チューブ２２は、図７（ｂ）に示すように、その外周面がシール溝１９から若干上方に露出し、その露出部分が相手部材、即ち蓋パネル６の下面に押し当てられることにより弾性変形し（図１１参照）、全周にわたりシールする。
【００２０】
前記の基板１０は、上記基板カバー７のねじ穴２４’にビス２４によりねじ止めされる。その基板１０に接続されたフラットケーブル２５（図１０参照）を基板カバー７の外部に引き出すためのスリット状の挿通穴２６が、前記シール溝１９の直線部分の内側に沿って設けられる。上記の挿通穴２６の下面側は、基板カバー７に設けられたシール材充填溝３０の底面に開放される（図８（ａ）（ｂ）参照）。また、そのシール材充填溝３０の長さ方向に沿った内側部分には、図８、図９に示すように、該挿通穴２６の両端部に係合爪２７、２７が設けられ、これと対向した外側部分にリブ３９が設けられる。
【００２１】
さらに、シール溝１９の下面において、上記の各係合爪２７、２７に対向した位置から、該シール溝１９と直交する方向に外方に突き出した２本のアーム２８、２８と、各アーム２８の先端部相互間にブリッジ状に渡された押さえ板２９とからなるケーブル押さえ部３１が設けられる。その押さえ板２９の下面には押さえリブ３２が設けられるとともに、その押さえ板２９の両端部にねじ穴３３，３３が設けられる。また、前記挿通穴２６の両端部に上記のねじ穴３３，３３と同一間隔のねじ穴３５、３５が設けられる。上記のアーム２８の中間部に薄肉部３４が設けられ、その薄肉部３４において各アーム２８を基板カバー７の下面側に折り返し可能となっている（図１１（ｂ）参照）。
【００２２】
図１１（ａ）に示すように、基板１０上のコネクタ３６に接続されたフラットケーブル２５が、基板カバー７の前記の挿通穴２６に挿通される。さらに、そのフラットケーブル２５をケーブル押さえ部３１の開放部３８（アーム２８と押さえ板２９で囲まれた部分、図８参照）に挿通したのち、ケーブル押さえ部３１をアーム２８の薄肉部３４で折り返し、その押さえ板２９の先端を係合爪２７に係合させる。また、前記のねじ穴３３とねじ穴３５とを合致させ、ビス３７（図９参照）により締結固定する。そうすると、図１１（ｂ）に示すように、フラットケーブル２５が、押さえ板２９のリブ３２と、挿通穴２６に沿って設けられたリブ３９との間で挟着保持される。これにより、フラットケーブル２５に外部から作用する荷重が受け止められ、基板１０に影響することを防ぐ。また、図１１（ｂ）に示すように、シール材充填溝３０にシール材ポリマー４１が充填される。
【００２３】
なお、上記のフラットケーブル２５の他に、リード線等の通電線を同様に挿通穴２６に挿通し、これをケーブル押さえ部３１により挟着保持することができる。
【００２４】
基板１０の防水構造は以上のようなものであり、基板１０を取付けた基板カバー７のシール溝１９内に装着されたチューブ２２を蓋パネル６の下面に押し当てることにより、基板１０の取付け部の全周がシールされる。このシールはチューブ２２を相手部材である蓋パネル６に押し当てるだけであるので、両部材の分解に支障を来たすことはない。
【００２５】
また、フラットケーブル２５等の通電線の挿通穴２６は、シール材ポリマー４１によりシールされる。このシールは、基板カバー７と蓋パネル６の分解には関係しない。
【００２６】
なお、蓋３の内部に蓄積される熱を逃がすため、図１２に示すように、蓋３の蓋部材５と蓋パネル６との嵌合部分に、蓋３の内外を通じるすき間４２を全周にわたり設けた構成を採った場合、そのすき間４２から蓋３の内部に浸入する水を阻止するため、すき間４２に臨んだ蓋パネル６の周囲に集水溝４３を設けることが望ましい。集水溝４３の排水口はヒンジ軸２の近傍に設けられる。
【００２７】
次に、前記の基板カバー７の下方において蓋リング８に取付けられる中継基板４４の防水構造について、主として図１３に基づいて説明する。中継基板４４は、蓋３の内部に取付けられるソレノイド４５（図６参照）、モーター４６、センサー４７等の電気部品のリード線４８（図１３参照）をまとめ、フラットケーブル４９に置き換えてジャー本体１側に通電するために設けられるものである。この中継基板４４の防水は比較的簡易に行われる。
【００２８】
即ち、図１３に示すように、中継基板４４の収納部５１（図１３（ｂ）参照）は、蓋リング８に設けた四辺形の周壁５２の内部に設けられる。その周壁５２は、ヒンジ軸２に平行な２辺５２ａ、５２ｂとこれらに直角の２辺５２ｃ、５２ｄを有し、そのうち辺５２ａがヒンジ軸２から遠い方、即ち、蓋３が開放された際に上位となる位置に形成される。中継基板４４は上記の収納部５１内に収納され、ビス５０により蓋リング８に固定される。なお、この場合の蓋リング８は、「特許請求の範囲」にいう「基板カバー部」を構成する。
【００２９】
蓋３の内部に浸入した水から上記の中継基板４４を保護する防水カバー５３は、図１３（ａ）に示すように、下向きに開放された四角形のケース状をなし、前記４辺５２ａ〜５２ｄに対応したつば５４が設けられる。つば５４は前記の４辺５２ａ〜５２ｄに対応して、つば辺５４ａ〜５４ｄを有し、そのうち、辺５２ｂに対応したつば辺５４ｂが若干高く形成される。また、３辺のつば辺５４ａ、５４ｃ、５４ｄに対応してスカート部５５が設けられる。
【００３０】
上記のスカート部５５が周壁５２の３辺５２ａ、５２ｃ、５２ｄの内側に嵌合密着され、同時につば５４のうちつば辺５４ａ、５４ｃ、５４ｄが３辺５２ａ、５２ｃ、５２ｄ上に載る。辺５２ｂとつば辺５４ｂとの間には所要のすき間５６が形成される、そのすき間５６にフラットケーブル４９、リード線４８が挿通される。
【００３１】
上記の防水カバー５３の３辺のつば辺５４ａ、５４ｃ、５４ｄに対応したコの字形の押さえリブ５７が相手部材である前述の基板カバー７の下面に設けられる（図３、図７参照）。この押さえリブ５７と、周壁５２の３辺５２ａ、５２ｃ、５２ｄにより、つば辺５４ａ、５４ｃ、５４ｄを挟着する。各つば辺５４ａ、５４ｃ、５４ｄは柔軟性に劣るため、完全なシールとはならないが、シール専用のパッキンを用いなくても、ある程度のシールは可能である。
【００３２】
上記のスカート部５５を、周壁５２の３辺５２ａ、５２ｃ、５２ｄの内面に密着させることにより、上記のシールが一層確実になる。すき間５６の部分は開放されているが、この部分は蓋３を開放したとき、周壁５２の最も下位に位置するので、上位側から流れ落ちる水がこのすき間から浸入する機会はほとんどなく、中継基板４４のような、電子部品が搭載されない基板のシール構造としては、この程度の簡易なシールで十分である。
【００３３】
【発明の効果】
以上のように、この発明は、蓋内部に収納された各種基板を成形品のパッキンを用いることなく、既成のチューブを用いたり、また、簡易な防水ですむ場合は防水カバーを嵌合する等の手段によりシールするようにしたので、製品コストの低減を図ることができるとともに、手入れ時或いはリサイクル処理時の分解が容易に行える等の効果がある。
【図面の簡単な説明】
【図１】実施形態の斜視図
【図２】同上の断面図
【図３】同上の一部分解斜視図
【図４】同上の一部拡大断面図
【図５】同上の一部拡大断面図
【図６】同上の横断平面図
【図７】（ａ）同上の基板カバーの平面図
（ｂ）（ａ）図のｂ−ｂ線の断面図
（ｃ）同上のチューブの縮小した斜視図
【図８】（ａ）同上の基板カバーの一部底面図
（ｂ）（ａ）図のｂ−ｂ線の断面図
【図９】図８（ａ）の部分の一部切欠斜視図
【図１０】同上の基板カバーに基板を取付けた状態の斜視図
【図１１】（ａ）同上のフラットケーブル挿通時の一部断面図
（ｂ）同上のフラットケーブル挿通後の一部断面図
【図１２】同上の一部拡大断面図
【図１３】（ａ）他の実施形態の一部分解斜視図
（ｂ）（ａ）図の場合の断面図
【符号の説明】
１　ジャー本体
２　ヒンジ軸
３　蓋
４　操作部
５　蓋部材
６　蓋パネル
７　基板カバー
８　蓋リング
９　蒸気穴セット
１０　基板
１１　液晶ホルダー
１２　液晶
１３　表示窓
１４　設定キー
１６　ビス
１７　取付け足
１８　取付け足
１９　シール溝
２０　ボス部
２１　スイッチ
２２　チューブ
２３　両端部
２４　ビス
２４’　ねじ穴
２５　フラットケーブル
２６　挿通穴
２７　係合爪
２８　アーム
２９　押さえ板
３０　シール充填溝
３１　ケーブル押さえ部
３２　押さえリブ
３３　ねじ穴
３４　薄肉部
３５　ねじ穴
３６　コネクタ
３７　ビス
３８　開放部
３９　リブ
４１　シール材ポリマー
４２　すき間
４３　集水溝
４４　中継基板
４５　ソレノイド
４６　モーター
４７　センサー
４８　リード線
４９　フラットケーブル
５０　ビス
５１　収納部
５２　周壁
５２ａ〜５２ｄ　辺
５３　防水カバー
５４ａ〜５４ｄ　つば辺
５５　スカート部
５６　すき間
５７　押さえリブ
【図１】
2004041569.tif 000003
【図２】
2004041569.tif 000004
【図３】
2004041569.tif 000005
【図４】
2004041569.tif 000006
【図５】
2004041569.tif 000007
【図６】
2004041569.tif 000008
【図７】
2004041569.tif 000009
【図８】
2004041569.tif 000010
【図９】
2004041569.tif 000011
【図１０】
2004041569.tif 000012
【図１１】
2004041569.tif 000013
【図１２】
2004041569.tif 000014
【図１３】
2004041569.tif 000015